(57)【要約】【課題】うつぶせ寝の際に枕を使用しないで、マットレスそのものにうつぶせ寝することを可能にする。【解決手段】人がうつぶせ寝した際に顔が当接するマットレスの部分を分離して凹部2を形成すると共に、分離されたマットレスの分離片にて該凹部2内に挿脱自在な埋め子3を形成すると共にこの埋め子を3a、3bに２分割する。この構成にて埋め子3aだけをマットレスの凹部2に挿入して埋め子3aの挿入端とマットレス1との間に空間4を形成し、この空間4にうつぶせ寝した人の鼻と口を位置させ、空間4を介して呼吸を容易にする。【選択図】図4
2009219670.tif 000002
【特許請求の範囲】
【請求項１】
人がうつぶせ寝した際に顔が当接するマットレスの部分を分離して凹部を形成すると共に、分離された分離片にて該凹部内に挿脱自在な埋め子を形成したことを特徴とするマットレス。
【請求項２】
前記凹部の巾が人の頭部巾より広いことを特徴とする請求項１記載のマットレス。
【請求項３】
前記埋め子が、前記マットレスと同一厚であることを特徴とする請求項１記載のマットレス。
【請求項４】
前記埋め子を２分割したことを特徴とする請求項１記載のマットレス。
【請求項５】
前記埋め子が、前記マットレスの厚さに上り勾配を付したことを特徴とする請求項１記載のマットレス。
【請求項６】
前記埋め子が、表面から裏面に通じる貫通孔を設け、更に該貫通孔に外気に通じる連通孔を連設したことを特徴とする請求項１，２，３または４記載のマットレス。
【請求項７】
前記貫通孔は、その周縁が標準的な人の顔の骨格における両側頬骨と、眼窩と、下顎骨の４点が接して顔面を支えるように形成したことを特徴とする請求項５記載のマットレス。
【発明の詳細な説明】
【技術分野】
【０００１】
本発明は、うつ伏せ寝しても窒息等の不祥事が生じないマットレスに関する。
【背景技術】
【０００２】
近時、健康法としてうつぶせ寝をする腹臥位療法が奨励されている。しかしうつぶせ寝をした時に最も問題になるのは窒息という不祥事である。特に重度の障害を持つ寝たきり患者はうつぶせのまま自力で頭を動かすことができないために口や鼻が塞がれて呼吸困難になり、生命にかかわる恐れすらある。しかるに上記問題を解決するために従来から各種技術が開発されており、例えば特許文献１から特許文献４に示される技術が公知となっている。
【０００３】
特許文献１の発明は、略馬蹄形をなす柔軟性外袋に枕用充填物を充填した伏臥位用枕であり、伏臥位での胸部乳房や内臓の圧迫を軽減するものである。
【０００４】
特許文献２の発明は、クッション部をU字型に形成し、鼻を入れるための空間を設けたうつぶせ寝、仰向け寝両用枕である。
【０００５】
特許文献３の発明は、クッション材を充填した内袋を、左側端表面および右側端裏面に布製ファスナー帯を縫いつけたカバー内に装填したもので、机上などで仮眠するときに頭部への負担を軽減するものである。
【０００６】
特許文献４の考案は、本願発明者が先に出願したもので、クッション性および通気性のよい材料からなる枕に、表から裏面に通じる貫通孔を設け、この貫通孔に外気に通じる連通路を連接した伏臥位用枕であって、うつ伏せになったときに顔を貫通孔に当てることにより貫通孔および連通路を介して外気を十分に確保することができるので、窒息などの不祥事を防止することができるものである。
【０００７】
前記従来の例はいずれもうつぶせ寝をする際に呼吸困難にならないように枕にうつぶせ寝を容易にする手段を施したものでありそれなりに効果が得られるものと思われるが、マットレスの他に枕が必要になることと、うつぶせ寝をした際に頭部が枕の厚さにて持ち上げられ、呼吸がしにくい姿勢になると共に頸部に負担がかかるなどの問題がある。
【特許文献１】特開２００４−０８９６９７号公報
【特許文献２】特開平０７−２７５０９８号公報
【特許文献３】特開２００１−２３８７７９号公報
【特許文献４】実願２００６−００７９８６号
【発明の開示】
【発明が解決しようとする課題】
【０００８】
解決しようとする問題点は、うつぶせ寝の際に枕を使用しないで、マットレスそのものにうつぶせ寝することを可能にすることである。・
【課題を解決するための手段】
【０００９】
本発明は、枕を使用しなくてもうつぶせ寝ができるように、人がうつぶせ寝した際に顔が当接するマットレスの部分を分離して凹部を形成すると共に、分離されたマットレスの分離片にて凹部内に挿脱可能な埋め子を形成したことを特徴とするものである。そして前記凹部の巾は人の頭部巾より広く、埋め子の厚さは前記マットレスと同一で２分割し、分割したいずれか一方の分割片だけを用いてマットレスの凹部に挿入し、マットレスと分割片との間に空間を形成することができるようにする。あるいは２分割しない一体の埋め子の厚さに上り勾配をつけて頭の先方を僅かに上方にそらすことで呼吸しやすい姿勢にすると共に、埋め子の表面から裏面に通じる貫通孔を設け、貫通孔に外気に通じる連通孔を連接して外気の通気を容易にする。この場合、貫通孔は、その周縁が標準的な人の顔の骨格における両側頬骨と、眼窩と、下顎骨の４点が接するように形成しており、人の顔面の支持を容易にしていることを特徴とする。
【発明の効果】
【００１０】
本発明のマットレスは、マットレスの凹部に対して、うめ子を挿入する際にマットレスと埋め子挿入端部との間に所定の空間を設けて、うつぶせ寝をした際にこの空間に鼻と口を位置させることにより、この空間にて呼吸を容易にすることができる。
【００１１】
またマットレスと等厚の埋め子に替えて、厚さに上り勾配を有する埋め子をマットレスの凹部に挿入した場合は、うつぶせ寝した人の頭部の先方が僅かに持ち上げられることにより、呼吸のしやすい姿勢になると共に頸部の負担が軽減される。また、マットレスから分離された埋め子をマットレスの凹部に隙間なく挿入して、シーツにてマットレスの全面を覆うことにより通常のマットレスとして使用することができるという利点がある。
【発明を実施するための最良の形態】
【００１２】
枕を使用せずにうつぶせ寝を容易にするという目的を、うつぶせ寝した際に顔面が当接するマットレスの部分を分離して凹部を形成し、分離されたマットレスの部分を凹部に挿脱自在な埋め子にすると共にこの埋め子を２分割し、分割した一方の埋め子だけを凹部に挿入して埋め子の挿入端とマットレスとの間に空間を形成する。この空間に鼻と口を位置させることで呼吸を容易にし、うつぶせ寝を可能にするという目的を達成することができた。
【実施例１】
【００１３】
図1から図6は本発明の実施例１を示し、図1はマットレスに挿脱自在な埋め子を形成した斜視図、図2は埋め子の挿入端とマットレスとの間に空間を形成した斜視図、図3は埋め子を示す斜視図、図4は２分した埋め子の挿入端とマットレスとの間に空間を形成した斜視図、図5はうつぶせ寝をした人の頭部と空間の位置を示す側面図、図6はうつぶせ寝をした人の頭部と空間の位置を示す上面図である。
【００１４】
マットレス1は図1に示すように長方形等厚のものである。このマットレス1において、人がうつぶせ寝した際に顔が当接する部分を分離して凹部2を形成すると共に、分離したマットレス片にて埋め子3を形成し、埋め子3をマットレス1の凹部2に対して挿脱自在に構成する。
【００１５】
また、この場合の埋め子3の厚さはマットレス1と同一であり、埋め子3は図3に示すように異なる巾の3a、3bに２分割する。そして図4に示すように巾の狭い方の埋め子3aだけを用いることによりマットレス1と埋め子3aの挿入端との間に適切な空間を形成することができる。これにより埋め子をマットレスの外側に突出させることなく適切な空間を形成することができる。
【００１６】
また図2に示すように、２分割しない埋め子3を用いることもできる。この場合は、マットレス1の凹部2に挿入する際にマットレス1と埋め子3の挿入端との間に空間4を形成することができるが、空間を形成した分だけ埋め子がマットレスから外側に突出することになるので、マットレスの長さに制限のある寝台など以外の、例えば畳み部屋などにて用いることができる。
【００１７】
これにより図5に示すように、マットレス1と埋め子3との間に形成した空間4にうつぶせ寝した人の鼻と口を位置させ、呼吸を容易にすることが可能になる。また、図6に示すように空間4の巾Wは頭部5の巾より広く形成されているので頭部5が多少横方向にずれても両側方に十分な空間を保つことができ、呼吸に支障が生じない。なお凹部を形成したマットレスは、凹部に埋め子3または3a、3bを隙間なく挿入することにより、全体をシーツにて覆って通常のマットレスとして使用することができる。
【実施例２】
【００１８】
図7から図9は本発明の実施例２を示し、図7は傾斜面を有する埋め子を用いた例を示す斜視図、図8は傾斜面を有する埋め子の斜視図、図9は傾斜面を有する埋め子を用いてうつぶせ寝をした人の頭部位置を示す側面図である。
【００１９】
本実施例はマットレスに前記実施例１とは構成の異なる埋め子を用いた例であり、前記実施例１と同一構成部分には同一符号を付して重複する説明を省略する。
【００２０】
本実施例で用いる埋め子6は、図7および図8に示すように、前記実施例１と同様な巾と長さを有すると共に、マットレスの凹部2に対して挿脱自在であり、厚さには角度αが約２０度の勾配7が設けられ、更に表面から裏面に通じる貫通孔8が設けられ、貫通孔8には外気に通じる連通孔9が連接されている。そして貫通孔8は、その周縁が標準的な人の顔の骨格における両側頬骨と、眼窩と、下顎骨の４点が接して顔面を支え得る形状に形成されている。
【００２１】
上記埋め子6は、図7に示すように前記実施例１における埋め子3に替えてマットレス1の凹部2に挿脱が可能である。この埋め子6を用いた場合は、うつぶせ寝した人の顔を貫通孔8に当て、鼻と口を貫通孔8内に位置させることで連通孔9を介して外気の供給が十分に得られる。また顔面の両側頬骨と、眼窩と、下顎骨の４点が貫通孔8の周縁に支えられているので、血流がよく、うつぶせ姿勢を長時間保つことが可能になる。また埋め子6に設けられた約２０度の勾配7は、図9に示すようにうつぶせ寝した人の顎が少し下り、頭部5の先方が僅か押し上げられた状態になることにより呼吸するときの自然な姿勢が保たれ、頸部への負担も軽減されて就寝が容易になる。
【図面の簡単な説明】
【００２２】
【図１】マットレスに挿脱自在な埋め子を形成した斜視図である。  （実施例１）
【図２】埋め子の挿入端とマットレスとの間に空間を形成した斜視図である。  （実施例１）
【図３】埋め子を示す斜視図である。  （実施例１）
【図４】２分した埋め子の挿入端とマットレスとの間に空間を形成した斜視図である。  （実施例１）
【図５】うつぶせ寝をした人の頭部と空間の位置を示す側面図である。  （実施例１）
【図６】うつぶせ寝をした人の頭部と空間の位置を示す上面図である。  （実施例１）
【図７】傾斜面を有する埋め子を用いた例を示す斜視図である。  （実施例２）
【図８】傾斜面を有する埋め子の斜視図である。  （実施例２）
【図９】傾斜面を有する埋め子を用いてうつぶせ寝をした人の頭部位置を示す側面図である。  （実施例２）
【符号の説明】
【００２３】
1  マットレス
2  凹部
3, 6  埋め子
4  空間
5  頭部
7  勾配
8  貫通孔
9  連通孔
【図１】
2009219670.tif 000003
【図２】
2009219670.tif 000004
【図３】
2009219670.tif 000005
【図４】
2009219670.tif 000006
【図５】
2009219670.tif 000007
【図６】
2009219670.tif 000008
【図７】
2009219670.tif 000009
【図８】
2009219670.tif 000010
【図９】
2009219670.tif 000011